(57)【要約】【課題】  複数の記録媒体に跨った一連の画像を一括して処理することができ、利用者の利便性の向上を図った画像処理装置、画像処理方法及び画像処理プログラムを提供する。【解決手段】  制御部は、複数の記録メディアのメディア挿入口３３ａ〜３３ｃへの挿入を順次受け付けてメディアドライブにより複数の記録メディアから複数の画像を読み取り、そのサムネイル画像一覧画面を表示・操作部２に表示する。利用者がサムネイル画像一覧画面から出力対象を選択すると、選択された複数の画像が印刷部５によって印刷され、出力される。【選択図】      図１
2006229686.tif 000002
【特許請求の範囲】
【請求項１】
記録媒体を抜き差し可能な挿入口を有し、前記挿入口に挿入された前記記録媒体から画像を読み取る読取部と、
前記読取部によって読み取られた画像を出力媒体に記録する記録部と、
複数の記録媒体に対し前記挿入口への挿入を順次受け付けて前記読取部によって読み取られた複数の画像の記録を一括して行うように前記記録部を制御する制御部とを備えたことを特徴とする画像処理装置。
【請求項２】
前記記録媒体は、静止画像が記録されたものであることを特徴とする請求項１に記載の画像処理装置。
【請求項３】
前記記録媒体は、動画像が記録されたものであることを特徴とする請求項１に記載の画像処理装置。
【請求項４】
前記記録媒体は、撮像装置に装着可能であり、前記画像として前記撮像装置によって撮影された写真あるいは動画像が記録された記録メディアであることを特徴とする請求項１に記載の画像処理装置。
【請求項５】
前記読取部は、複数種の前記記録媒体に対応して複数の挿入口を有し、前記複数の挿入口に選択的に挿入された前記複数種の記録媒体から画像を読み取ることを特徴とする請求項１に記載の画像処理装置。
【請求項６】
前記記録部は、前記出力媒体として用紙を用いることを特徴とする請求項１に記載の画像処理装置。
【請求項７】
前記記録部は、前記出力媒体として前記挿入口に挿入される前記記録媒体よりも記録容量の大きい記録媒体を用いることを特徴とする請求項１に記載の画像処理装置。
【請求項８】
前記記録部は、前記読取部によって読み取られた画像、あるいはスキャナによって光学的に読み取られた画像をファクシミリ送信する機能、および前記スキャナによって光学的に読み取られた画像を用紙に印刷する機能を有する複合機であることを特徴とする請求項１に記載の画像処理装置。
【請求項９】
前記読取部は、前記挿入口に前記記録媒体を検出する検出センサを備え、
前記制御部は、前記検出センサによって前記記録媒体の抜き取り忘れを検出したとき、警告を発することを特徴とする請求項１に記載の画像処理装置。
【請求項１０】
記録媒体を抜き差し可能な挿入口を有し、前記挿入口に挿入された前記記録媒体から画像を読み取る読取部と、
前記読取部によって読み取られた画像を記憶する記憶部と、
前記記憶部に記憶された画像の選択画面を表示する表示部と、
前記選択画面において出力対象の画像を選択する選択部と、
前記選択部によって選択された画像を出力媒体に記録する記録部と、
複数の記録媒体に対し前記挿入口への挿入を順次受け付けて前記読取部によって読み取られ、前記選択部により選択された複数の画像の記録を一括して行うように前記記録部を制御する制御部とを備えたことを特徴とする画像処理装置。
【請求項１１】
前記表示部は、前記記憶部に記憶された画像を処理して得られたサムネイル画像の一覧を前記選択画面として表示することを特徴とする請求項１０に記載の画像処理装置。
【請求項１２】
前記制御部は、前記記録部によって画像が記録された後、前記記憶部に記憶されている画像を消去することを特徴とする請求項１０に記載の画像処理装置。
【請求項１３】
前記制御部は、前記出力媒体に記録した前記画像の枚数に応じて課金処理を行うことを特徴とする請求項１０に記載の画像処理装置。
【請求項１４】
記録媒体を抜き差し可能な挿入口を有し、前記挿入口に挿入された前記記録媒体から画像を読み取る第１のステップと、
読み取られた前記画像を出力媒体に記録する第２のステップとを含み、
複数の記録媒体に対し前記挿入口への挿入を順次受け付けて前記第１のステップにおいて読み取られた複数の画像の記録を前記第２のステップにおいて一括して行うようにしたことを特徴とする画像処理方法。
【請求項１５】
請求項１４に記載の画像処理方法をコンピュータに実行させるための画像処理プログラム。
【発明の詳細な説明】
【技術分野】
【０００１】
本発明は、挿入口に挿入された記録媒体から写真等の画像を読み出し、その画像を印刷する画像処理装置及び画像処理方法、並びに画像処理方法をコンピュータに実行させるための画像処理プログラムに関する。
【背景技術】
【０００２】
近年、デジタルカメラ等の撮像装置の普及に伴い、各種の撮像装置で撮影された画像を印刷する写真印刷装置（画像処理装置）が例えばコンビニエンスストア等の店舗内に設置されている。このような画像処理装置を用い、例えば不特定多数の利用者の注文（入力操作）等に応じて利用者所有の記録メディアに保存された写真（画像）を印刷することにより、画像販売サービスの提供が行われている。
【０００３】
従来、この種の画像処理装置には、複数のスロットを有し、これらのスロットのうち一つのスロットのみを選択的に使用可能とするものが提案されている（特許文献１）。
【特許文献１】特開２００１−２７３４６５号公報
【発明の開示】
【発明が解決しようとする課題】
【０００４】
しかし、特許文献１に示す画像処理装置によると、複数のスロットに複数種のメディアを同時に挿入することはできないため、複数種の記録メディアに跨った一連の画像を一括して処理（例えばインデックスプリント）することができず、利用者の使い勝手に十分に応じることができないという問題があった。
【０００５】
また、情報漏洩を防止する観点より、記録メディアに記録されている画像を装置内の記憶部に記憶させずに画像を処理していたため、複数の記録メディアをスロットに順次挿入して連続的に処理することができず、同一種類の複数の記録メディアに跨った一連の画像を一括して処理することができなかった。
【０００６】
従って、本発明の目的は、複数の記録媒体に跨った一連の画像を一括して処理することができ、利用者の利便性の向上を図った画像処理装置、画像処理方法及び画像処理プログラムを提供することにある。
【課題を解決するための手段】
【０００７】
本発明は、上記目的を達成するため、記録媒体を抜き差し可能な挿入口を有し、前記挿入口に挿入された前記記録媒体から画像を読み取る読取部と、前記読取部によって読み取られた画像を出力媒体に記録する記録部と、複数の記録媒体に対し前記挿入口への挿入を順次受け付けて前記読取部によって読み取られた複数の画像の記録を一括して行うように前記記録部を制御する制御部とを備えたことを特徴とする画像処理装置を提供する。
【０００８】
上記画像処理装置によれば、複数の記録媒体を一括して処理することにより、複数の記録媒体に跨った一連の画像を一括して処理することができる。
【０００９】
上記記録媒体は、静止画像が記録されたものでも、動画像が記録されたものでもよい。
静止画像が記録されている場合には、静止画が出力媒体に記録され、動画像が記録されている場合には、動画像あるいは静止画像が出力媒体に記録される。
【００１０】
このような記録媒体としては、例えば、スマートメディア（登録商標），メモリースティック（登録商標），ＳＤカード（登録商標）等のフラッシュメモリを内蔵した各種の記録メディア、磁気ディスク等の磁気記録媒体、光磁気ディスク等の光磁気記録媒体、ＤＶＤ，ＣＤ−ＲＷ等の光記録媒体等を用いることができる
【００１１】
また、上記記録媒体は、ディジタルカメラ、カメラ付き携帯電話、デジタルビデオカメラ等の撮像装置に装着可能であり、画像として撮像装置によって撮影された写真あるいは動画像が記録された記録メディアでもよい。これにより、撮影した画像を手軽にプリントすることができる。
【００１２】
上記読取部は、複数種の記録媒体に対応して複数の挿入口を有し、複数の挿入口に選択的に挿入された複数種の記録媒体から画像を読み取る構成としてもよい。この構成により、複数種の記録媒体に跨った一連の画像を一括して処理することができ、複数種の記録媒体を用いる一人の利用者、あるいはあるグループに属する複数の利用者の利便性が大幅に向上する。
【００１３】
上記記録部は、出力媒体として用紙を用いてもよい。画像を用紙に記録する記録部としては、画像に応じた電子写真方式、インクジェット方式、熱転写方式等の各種のプリンタを用いることができる。
【００１４】
また、上記記録部は、出力媒体として挿入口に挿入される記録媒体よりも記録容量の大きい保存用記録媒体を用いてもよい。このような保存用記録媒体として、光磁気ディスク等の光磁気記録媒体、ＤＶＤ，ＣＤ−ＲＷ等の光記録媒体等を用いることができる。これにより、例えば、多数の画像を編集して保存用記録媒体に保管することができ、画像集（アルバム）作成上の利便性を高めることができる。
【００１５】
上記記録部は、読取部によって読み取られた画像、あるいはスキャナによって光学的に読み取られた画像をファクシミリ送信する機能、およびスキャナによって光学的に読み取られた画像を用紙に印刷する機能を有する複合機を用いてもよい。これにより、画像処理装置のさらなる多機能化を図ることができる。
【００１６】
上記読取部は、挿入口に記録媒体を検出する検出センサを備え、上記制御部は、検出センサによって記録媒体の抜き取り忘れを検出したとき、警告を発するようにしてもよい。これにより、出力処理後に挿入口内に記録媒体が残っている場合には利用者が警告によって記録媒体の引き抜きを促され、挿入口内における記録媒体の置き忘れを未然に防止することができる。警告としては、ＬＥＤ等の発光素子やブザー等の音響素子、メッセージを表示する液晶ディスプレイ等を用いることができる。
【００１７】
本発明は、上記目的を達成するため、記録媒体を抜き差し可能な挿入口を有し、前記挿入口に挿入された前記記録媒体から画像を読み取る読取部と、前記読取部によって読み取られた画像を記憶する記憶部と、前記記憶部に記憶された画像の選択画面を表示する表示部と、前記選択画面において出力対象の画像を選択する選択部と、前記選択部によって選択された画像を出力媒体に記録する記録部と、複数の記録媒体に対し前記挿入口への挿入を順次受け付けて前記読取部によって読み取られ、前記選択部により選択された複数の画像の記録を一括して行うように前記記録部を制御する制御部とを備えたことを特徴とする画像処理装置を提供する。
【００１８】
上記画像処理装置によれば、複数の記録媒体を一括して処理することにより、複数の記録媒体に跨った一連の画像を一括して処理することができる。また、記録媒体に記録されている複数の画像の中から出力対象を選択することができる。
【００１９】
上記表示部は、記憶部に記憶された画像を処理して得られたサムネイル画像（画像データを間引いた縮小画像）の一覧を選択画面として表示してもよい。これにより、選択画面に表示される画像の数を増やすことができ、選択が容易となる。
【００２０】
上記制御部は、記録部によって画像が記録された後、記憶部に記憶されている画像を消去するのが好ましい。これにより、情報漏洩を防止することができ、記憶部の有効利用を図ることができる。
【００２１】
上記制御部は、出力媒体に記録した画像の枚数に応じて課金処理を行うようにしてもよい。これにより、課金処理が自動化され、画像が記録された出力媒体を販売する者の手間が省ける。なお、「課金処理」とは、料金算出用データに基づく利用料金の算出、利用者からの現金、カード等による入金処理、利用者への釣銭返却処理等をいう。
【００２２】
本発明は、上記目的を達成するため、記録媒体を抜き差し可能な挿入口を有し、前記挿入口に挿入された前記記録媒体から画像を読み取る第１のステップと、読み取られた前記画像を出力媒体に記録する第２のステップとを含み、複数の記録媒体に対し前記挿入口への挿入を順次受け付けて前記第１のステップにおいて読み取られた複数の画像の記録を前記第２のステップにおいて一括して行うようにしたことを特徴とする画像処理方法を提供する。
【００２３】
上記画像処理方法によれば、複数の記録媒体を一括して処理することにより、複数の記録媒体に跨った一連の画像を一括して処理することができる。
【００２４】
本発明は、上記目的を達成するため、上記画像処理方法をコンピュータに実行させるための画像処理プログラムを提供する。
【００２５】
上記画像処理プログラムによれば、コンピュータにおいて、複数の記録媒体に跨った一連の画像を一括して処理することができる。
【発明の効果】
【００２６】
本発明によれば、複数の記録媒体に跨った一連の画像を一括して処理することができ、利用者の利便性の向上を図ることができる。
【発明を実施するための最良の形態】
【００２７】
[第１の実施の形態］
図１は、本発明の第１の実施の形態に係る画像処理装置の全体の外観を示す斜視図である。この画像処理装置１は、ユーザインタフェースとして機能する表示・操作部２と、各種の処理を統括的に制御する処理制御部３と、画像の出力形態に応じて課金処理を行う課金部４と、記録メディアから読み出した画像を印刷する記録部としての印刷部５とから概略構成されている。
【００２８】
表示・操作部２は、各種の案内情報やサムネイル画像等を表示するディスプレイ２０と、ディスプレイ２０の前面に重合配置され、ユーザから入力操作を受け付けるタッチパネル２１とを備えている。
【００２９】
処理制御部３は、表示・操作部２が載置された略箱型状の処理制御部用筐体３ａを有し、この筐体３ａの前面に、３種類の記録メディアをそれぞれ挿入可能なメディア挿入口３３ａ，３３ｂ，３３ｃと、メディア挿入口３３ａ〜３３ｃを開閉するシャッター３４と、記録メディアよりも記録容量の大きい保存用記録ディスクを挿入可能なディスク挿入口３８ａとを配設している。
【００３０】
課金部４は、処理制御部用筐体３ａの一方の側に隣接して配置された課金部用筐体４ａを有し、この筐体４ａの前面に、紙幣が挿入される紙幣挿入口４ｂと、硬貨が投入される硬貨投入口４ｃと、釣銭が払い出される釣銭払出口４ｄとを配設している。
【００３１】
印刷部５は、処理制御部用筐体３ａの他方の側に隣接して配置された印刷部用筐体５ａを有し、この筐体５ａの内部に、複数のプリント用紙を積層状態で収納するとともに、プリント用紙を図示しない印刷位置に一枚ずつ供給する給紙トレイ５０を備え、印刷部用筐体５ａの側面に、プリント用紙に画像が印刷された印刷写真５２が排出される排紙トレイ５１を備えている。
【００３２】
また、印刷部５は、複写、プリント、スキャナ、ファックス、通信等の複数の機能を有する複合機であり、スキャナ部（図示せず）で読み取られた原稿画像をプリント用紙に複写する複写処理（コピー）、記録メディアに記録されている画像をプリント用紙に印刷する印刷処理（画像プリント）、記録メディアに記録されている画像を保存用記録ディスクに記録する保存処理（画像保存）、記録メディアに記録されている複数の画像のインデックスとなるサムネイル画像をプリント用紙に印刷するインデックス印刷処理（インデックスプリント）、スキャナ部で取り込んだ原稿画像や記録メディアに記録されている画像あるいはファイルを電話回線を介してファクシミリ送信する送信処理（ファックス）等をそれぞれ実行するように構成されている。
【００３３】
図２は、画像処理装置１の制御系を示すブロック図である。処理制御部３は、画像処理装置１全体を制御する機能及び各種データの計算を実行する機能を有する制御部３０と、制御部３０が実行する各種の処理プログラムを記憶するプログラム記憶部３１と、記録メディアに記録されている画像を読み取るメディアドライブ部３２と、メディアドライブ部３２で読み取られた画像に所定の処理を施す画像処理部３５と、画像データを記憶する画像記憶部３６と、料金算出用データを記憶する課金情報記憶部３７と、出力対象画像を保存用記録ディスクに記録するディスク記録部３８とを備えている。
【００３４】
メディアドライブ部３２は、３種類の記録メディアから画像をそれぞれ読み取る第１乃至第３のメディアドライブ３３Ａ，３３Ｂ，３３Ｃと、記録メディアを抜き差し可能なメディア挿入口３３ａ〜３３ｃを開閉するシャッター３４とを備える。メディアドライブ３３Ａ，３３Ｂ，３３Ｃは、記録メディアから画像を読み取る際にその画像の撮影日・時間等の属性情報も取得し、画像とともに、属性情報、および記録メディアの種類に対応したメディアＩＤを制御部３０に送信するようになっている。画像、属性情報およびメディアＩＤは、制御部３０の制御の下に画像記憶部３６に記憶される。なお、メディアドライブ部３２が取り扱うメディアの種類は、３種類に限定されない。
【００３５】
画像処理部３５は、各メディア挿入口３３ａ〜３３ｃに挿入された複数の記録メディアから読み取られた複数の画像のサムネイル画像の作成、画像の拡縮、画像の編集処理等を行うものである。
【００３６】
ディスク記録部３８は、記録メディアから読み取り、画像記憶部３６に記憶された複数の画像をディスク挿入口３８ａに挿入された外部保存用記録メディアに保存するように構成されている。これにより、例えば、多数の画像を編集した形態で保存用記録メディアに保管することができ、画像集（アルバム）作成上の利便性を高めることができる。
【００３７】
課金部４は、出力対象画像の出力枚数を含む料金算出用データ及びユーザから受け付けた入金データに基づいて課金処理を実行するように構成されている。これにより、料金算出用データ及び入金データに基づいた課金処理が自動的に実施され、出力対象画像を販売する場合の販売業者によるサービス提供上の利便性を高めることができる。
【００３８】
（第１の実施の形態の動作）
次に、画像処理装置１の動作を、図１および図２と共に図３および図４を参照して説明する。図３は、本装置１の動作を説明するためのフローチャート、図４は、表示・操作部２に表示された画像表示例を示す図である。
【００３９】
先ず、制御部３０は、初期画面として<コピー>・<画像プリント>・<画像保存>・<インデックスプリント>・<ファックス>等の出力形態を選択するためのメニュー画面を表示・操作部２のディスプレイ２０に表示し、ユーザからの指示を受け付ける。ここで、ユーザが例えば<画像プリント>をタッチパネル２１を押下して選択すると（Ｓ１）、制御部３０はシャッター３４を駆動してメディアドライブ３３Ａ〜３３Ｃのメディア挿入口３３ａ〜３３ｃを開放する（Ｓ２）。
【００４０】
次に、ユーザが例えば第１のメディアドライブ３３Ａのメディア挿入口３３ａに記録メディアを挿入すると（Ｓ３）、メディア挿入口３３ａ内のメディア検出センサ（図示せず）が検出ＯＮ信号を制御部３０に送信し、制御部３０は、その検出ＯＮ信号に基づきシャッター３４を駆動してメディアドライブ３３Ａ〜３３Ｃのメディア挿入口３３ａ〜３３ｃを閉塞する（Ｓ４）。そして、制御部３０は、第１のメディアドライブ３３Ａにより記録メディア内の全ての画像を読み出し、画像処理部３５によってサムネイル画像を作成し、ディスプレイ２０に表示する（Ｓ５）。
【００４１】
この後、ユーザがディスプレイ２０の表示画面において印刷対象の画像を選択すると（Ｓ６）、制御部３０は、選択された画像に画像処理部３５により所定の処理を施し、選択されなかった画像と異なる表示態様でディスプレイ２０に表示するとともに、選択された画像を画像記憶部３６に記憶する（Ｓ７）。制御部３０は、シャッター３４を駆動してメディアドライブ３３Ａ〜３３Ｃのメディア挿入口３３ａ〜３３ｃを開放する（Ｓ８）。
【００４２】
次に、ユーザが第１のメディアドライブ３３Ａのメディア挿入口３３ａ内の記録メディアを外部に引き抜くと（Ｓ９）、制御部３０がメディア挿入口３３ａ内のメディア検出センサからの検出ＯＦＦ信号を受け、「次のメディアが有るか？」の表示をディスプレイ２０により行う（Ｓ１０）。
【００４３】
ここで、ユーザが<有る>を選択すると（Ｓ１０のＹｅｓ）、制御部３０がタッチパネル２１から指示を受け、第１乃至第３のメディア挿入口３３ａ〜３３ｃ内のメディア検出センサからの検出ＯＮ信号（次の記録メディアの挿入）を待つ（Ｓ３）。ステップＳ３〜Ｓ９は、第１乃至第３のメディア挿入口３３ａ〜３３ｃに選択的に挿入される記録メディアの数に応じて繰り返し実行される。
【００４４】
一方、ユーザが<無し>を選択すると（Ｓ１０のＮｏ）、制御部３０はシャッター３４を駆動してメディアドライブ３３Ａ〜３３Ｃのメディア挿入口３３ａ〜３３ｃを閉塞する（Ｓ１１）。この後、制御部３０は、画像記憶部３６に記憶した画像を画像処理部３５によって図４に示すようなサムネイル画像一覧画面を作成させ、ディスプレイ２０に表示する（Ｓ１２）。
【００４５】
このサムネイル画像一覧画面６には、記録メディアの種類に対応したメディアＩＤ６０、サムネイル画像６１、印刷枚数入力欄６２等が表示される。図４において、メディアＩＤ６０の「Ａ−１」、「Ａ−２」、「Ａ−３」は、第１のメディアドライブ３３Ａが１枚目、２枚目、３枚目の記録メディアからそれぞれ読み出した画像であることを示す。「Ａ−１」、「Ａ−２」、「Ａ−３」の画像がそれぞれ複数枚存在するが、読み出し順に表示している。また、メディアＩＤ６０の「Ｂ−１」、「Ｂ−２」は、第２のメディアドライブ３３Ｂが１枚目、２枚目の記録メディアからそれぞれ読み出した画像、メディアＩＤ６０の「Ｃ−１」は、第３のメディアドライブ３３Ｃが１枚目の記録メディアから読み出した画像であることを示す。
【００４６】
次に、ユーザは、図４に示すように、ディスプレイ２０に表示されたサムネイル画像一覧画面６において印刷対象の画像の部分を押下して選択すると、画像処理部３５による処理によりサムネイル画像６１’の周辺（斜線を施した領域）が強調された表示となり、他の選択されていないサムネイル画像６１とは異なる表示態様で表示される。
【００４７】
続いて、ユーザはディスプレイ２０に表示された図示しないテンキーを押下して選択したサムネイル画像６１’の印刷枚数を印刷枚数入力欄６２に入力する（Ｓ１３）。印刷枚数入力欄６２には、例えば、１枚の場合は「０１」、２枚の場合は「０２」、３枚の場合は「０３」というように入力される。
【００４８】
制御部３０は、サムネイル画像一覧画面６に対する画像選択、入力枚数に基づいて、課金情報記憶部３７に記憶されている料金算出用データを基にユーザが支払うべき料金の金額を算出し、ディスプレイ２０に表示する（Ｓ１４）。
【００４９】
次に、ユーザは、ディスプレイ２０に表示された金額に応じた料金を課金部４の紙幣挿入口４ｂあるいは硬貨投入口４ｃから紙幣あるいは硬貨を投入して支払うと、課金部４は、制御部３の制御の下に課金処理を行う（Ｓ１５）。すなわち、課金部４が支払われた現金を収容するとともに、支払い金額を演算し、その結果を制御部３０に通知する。支払い金額がディスプレイ２０に表示された金額より大きい場合は、課金部４の釣銭払出口４ｄから差額の釣銭を返金する。なお、支払い料金に対応する領収証を印字出力するよにしてもよい。
【００５０】
制御部３０は、課金部４から課金処理終了信号を受けると、印刷ＯＫか否かの確認画面をディスプレイ２０に表示する（Ｓ１６）。ここで、ユーザが印刷ＮＯを指示すると（Ｓ１６のＮｏ）、ステップＳ１３に戻り、サムネイル画像一覧画面６に対して画像選択および枚数入力を受け付ける。
【００５１】
一方、ユーザが印刷ＯＫを指示すると（Ｓ１６のＹｅｓ）、ステップＳ１３においてサムネイル画像一覧画面６に対して選択された画像および入力された印刷枚数に基づいて印刷データを印刷部５に送る（Ｓ１７）。印刷部５は、印刷データに基づいて画像をプリント用紙に印刷する（Ｓ１８）。印刷された印刷写真５２は、排紙トレイ５１に排出される。
【００５２】
この後、印刷終了か否かの確認画面をディスプレイ２０に表示する（Ｓ１９）。ここで、ユーザが<印刷終了未>を選択すると（Ｓ１９のＮｏ）、再びステップ１３に戻り、サムネイル画像一覧画面６に対して画像選択および枚数入力を受け付ける。
【００５３】
一方、ユーザが<印刷終了>を選択すると（Ｓ１９のＹｅｓ）、制御部３０は画像記憶部３６に記憶されている画像を消去する（Ｓ２０）。
【００５４】
このようにして、出力形態として<画像プリント>を選択した場合の画像の出力処理が実行される。
【００５５】
なお、ステップＳ１において、メニュー画面から<画像保存>が選択された場合は、販売員は、ディスク挿入口３８ａに保存用記録ディスクを挿入し、図示しないディスク検出センサが保存用記録ディスクの挿入を検出すると、制御部３０は、サムネイル画像一覧画面に対して選択された画像をディスク記録部３８により保存用記録ディスクに記録する。
【００５６】
また、ステップＳ１において、メニュー画面から<インデックスプリント>が選択された場合は、サムネイル画像一覧画面の画像データが印刷部５に送信され、印刷部５は、サムネイル画像一覧画面をプリント用紙に印刷して排紙トレイ５１に排出する。
【００５７】
この第１の実施の形態によれば、次に示すような効果を奏する。
（１）複数の記録メディアを一括して処理対象とすることができるため、複数の記録メディアに跨った一連の画像の一括処理を指示することができ、利用者の使い勝手に十分に応じることができる。
（２）メディア挿入口３３ａ〜３３ｃ内の記録メディアを引き抜いてから、画像の印刷を行うため、メディア挿入口３３ａ〜３３ｃ内におけるユーザによる記録メディアの置き忘れを未然に防止することができる。
（３）画像記憶部３６に記録された画像は、印刷処理後に消去されるため、画像が不特定多数の利用者に閲覧（再生）されず、情報漏洩を防止することができる。また、印刷処理の後の画像の消去によって画像記憶部３６での容量を十部に確保することもできる。
【００５８】
なお、ステップＳ９において、一定時間記録メディアが抜き取られない場合は、警告するようにしてもよい。警告は、ブザー音の発生、表示・操作部２等へのメッセージの表示等が考えられる。
【００５９】
［第２の実施の形態］
図５は、本発明の第２の実施の形態に係る画像処理装置におけるサムネイル画像一覧画面を示す。図４の例では、画像読み出し順序に対応した配列でサムネイル画像一覧画面に表示したが、本実施の形態では、制御部３０の制御により、記録メディアから画像とともに読み出した撮影日・時間の属性情報に基づいて画像撮影順序に対応した配列でディスプレイ２０に表示される。
【００６０】
このサムネイル画像一覧画面６には、記録メディアの種類に対応したメディアＩＤ６０、サムネイル画像６１、印刷枚数入力欄６２、撮影日・時間６３等が表示される。そして、サムネイル画像６１が撮影順に表示されるため、同図に示すように、第１のメディアドライブ３３Ａが２枚目の記録メディアから読み出した画像、第１のメディアドライブ３３Ａが１枚目の記録メディアから読み出した画像というように、読み出し順序に従わない場合が生じる。
【００６１】
この第２の実施の形態によれば、一連の画像が撮影順序に従って配列されるため、印刷対象の画像の選択が容易となる。
【００６２】
［第３の実施の形態］
図６は、本発明の第３の実施の形態に係る画像処理装置の動作を示すフローチャートである。この第３の実施の形態は、画像を印刷した後の画像消去をタイマーによる計時によって行うようにしたものである。
【００６３】
図６に示すように、図３に示す印刷（Ｓ１８）が終了した後、ステップＳ１９においてユーザが<印刷終了>を指示すると（Ｓ１９のＹｅｓ）、タイマーによる計時を開始する（Ｓ１９０）。制御部３０は、ステップＳ１９における終了の指示を取り消すか否かの確認画面をディスプレイ２０に表示する（Ｓ１９１）。ここで、ユーザが<取消>を選択すると（Ｓ１９１のＹｅｓ）、タイマーによる計時を停止し（Ｓ１９２）、ステップＳ１３に戻る。
【００６４】
一方、ユーザが<取消せず>を選択すると（Ｓ１９１のＮｏ）、制御部３０は、予め設定された設定時間とタイマーの計時時間とを比較し（Ｓ１９３）、タイマーによる計時時間が設定時間を越えると（Ｓ１９３のＹｅｓ）、前述したように画像記憶部３６に記憶されている画像データを消去する（Ｓ２０）。
【００６５】
この第３の実施の形態によれば、第１の実施の形態の効果に加え、タイマーによる計時時間内に印刷部５あるいはディスク記録部３８の利用が所定時間無い場合には画像記憶部３６に記憶されている画像が自動的に消去され、装置使用上の利便性を高めることができる。
【００６６】
なお、本発明の画像処理装置及び画像処理方法を上記の実施の形態に基づいて説明したが、本発明は上記の実施の形態に限定されるものではなく、その要旨を逸脱しない範囲において種々の態様において実施することが可能であり、例えば次に示すような変形も可能である。
【００６７】
上記実施の形態では、記録メディアを１枚ずつ挿入したが、２種類あるいは３種類の記録メディアをメディア挿入口３３ａ〜３３ｃに挿入し、各記録メディアから画像を読み取るようにしてもよい。これにより、複数種類の記録メディアに跨った多数の画像を一括処理することができ、複数種類の記録メディアを用いる利用者の利便性を大幅に高めることができる。
【００６８】
また、上記実施の形態では、利用料金を利用者が現金で支払った場合について説明したが、クレジットカードやプリペイドカードを使用できるようにしてもよい。クレジットカードを使用する場合は、利用者に利用者識別情報（ユーザＩＤ、パスワード）を入力させ、印刷部５が有する通信機能を利用して外部サーバで利用者識別情報と登録済み利用者情報とを照合させ、両情報の一致を確認してから課金処理を行うようにしてもよい。
【図面の簡単な説明】
【００６９】
【図１】本発明の第１の実施の形態に係る画像処理装置の全体の外観を示す斜視図。
【図２】本発明の第１の実施の形態に係る画像処理装置の制御系を示すブロック図。
【図３】本発明の第１の実施の形態に係る画像処理装置の動作を説明するためのフローチャート。
【図４】本発明の第１の実施の形態に係る画像処理装置の画像表示例を示す図。
【図５】本発明の第２の実施の形態に係る画像処理装置の画像表示例を示す図。
【図６】本発明の第３の実施の形態に係る画像処理装置の動作を説明するためのフローチャート。
【符号の説明】
【００７０】
１  画像処理装置
２  表示・操作部
３  処理制御部
３ａ  処理制御部用筐体
４  課金部
４ａ  課金部用筐体
４ｂ  紙幣挿入口
４ｃ  硬貨投入口
４ｄ  釣銭払出口
５  印刷部
５ａ  印刷部用筐体
６  サムネイル画像一覧画面
２０  ディスプレイ
２１  タッチパネル
３０  制御部
３０  制御部
３１  プログラム記憶部
３２  メディアドライブ部
３３Ａ，３３Ｂ，３３Ｃ  メディアドライブ
３３ａ，３３ｂ，３３ｃ  メディア挿入口
３４  シャッター
３５  画像処理部
３６  画像記憶部
３７  課金情報記憶部
３８  ディスク記録部
３８ａ  ディスク挿入口
５０  給紙トレイ
５１  排紙トレイ
５２  印刷写真
６０  メディアＩＤ
６１，６１’  サムネイル画像
６２  印刷枚数入力欄
６３  撮影日・時間
【図１】
2006229686.tif 000003
【図２】
2006229686.tif 000004
【図３】
2006229686.tif 000005
【図４】
2006229686.tif 000006
【図５】
2006229686.tif 000007
【図６】
2006229686.tif 000008